(57)【特許請求の範囲】
【請求項１】
水と湯を混合する湯水混合部と、該湯水混合部における湯水の混合割合を調整して湯温調整を行うための湯温調整用レバーハンドルと、湯水混合部で混合された湯水を吐水部から吐水、停水を行うための弁手段と、該弁手段の開閉と弁手段による開量の調整とを行うための開閉用レバーハンドルとを備えた水栓装置であって、
上記開閉用レバーハンドルに設けた操作部の押し下げ、押し上げによる上下方向の移動により弁手段の開閉と開量の調整を行うように構成し、湯温調整用レバーハンドルに設けた湯温調整用の操作部の押し上げ、押し下げによる上下方向の移動により湯水混合部における湯水の混合割合を調整して湯温調整を行うように構成し、
上記開閉用レバーハンドルの操作部と上記湯温調整用レバーハンドルの湯温調整用の操作部を仕切り部を介して並設し、
上記開閉用レバーハンドルの操作部と、上記湯温調整用レバーハンドルの操作部との間に位置する仕切り部の部位が、開閉用レバーハンドルの操作部乃至湯温調整用レバーハンドルの操作部と外観形状が同じ又はほぼ同じ外観形状をした操作することができないダミー操作部となっていることを特徴とする湯水混合水栓装置。
【請求項２】
開閉用レバーハンドルの操作部は押し上げ・押し下げ操作のみが可能なように上下方向にのみ可動自在となり、開閉用レバーハンドルは操作部を上に上げた状態又は下に下げた状態の一方が対応する弁手段の開で他方が閉となり、開閉用レバーハンドルの操作部が閉位置の状態で、開閉用レバーハンドルの操作部の上面とダミー操作部の上面とが面一又は略面一となることを特徴とする請求項１記載の湯水混合水栓装置。
【請求項３】
湯温調整用レバーハンドルの操作部の上下方向の移動により湯水混合部における湯水の混合割合を調整して湯温調整を行うように構成し、湯温調整用レバーハンドルの操作部が湯温略４０℃となる位置に位置している状態で、湯温調整用レバーハンドルの操作部の上面とダミー操作部の上面とが面一又は略面一となることを特徴とする請求項２記載の湯水混合水栓装置。
【請求項４】
弁手段が複数の吐水部からの吐水及び吐水停止をそれぞれ独立して行うために複数設けられると共に、開閉用レバーハンドルが上記複数の弁手段をそれぞれ独立して開閉操作するために複数並設して設けられ、複数の開閉用レバーハンドルに設けた各操作部がそれぞれ閉位置の状態で、面一又は略面一となっていることを特徴とする請求項１乃至請求項３のいずれか一項に記載の湯水混合水栓装置。
【請求項５】
複数の開閉用レバーハンドルの各操作部に微小な凸又は凹の立体表示を設け、各操作部毎に立体表示を異ならせて成ることを特徴とする請求項４記載の湯水混合水栓装置。
【請求項６】
湯温調整用レバーハンドルの操作部に該湯温調整用レバーハンドル独自の微小な凸又は凹の立体表示を設けることを特徴とする請求項１乃至請求項５のいずれか一項に記載の湯水混合水栓装置。
【請求項７】
ダミー操作部の上面に該ダミー操作部と、開閉用レバーハンドルや湯温調整用レバーハンドルと識別するためのダミー用立体表示部が設けてあることを特徴とする請求項１乃至請求項６のいずれか一項に記載の湯水混合水栓装置。
【発明の詳細な説明】
【技術分野】
【０００１】
本発明は、湯水混合水栓装置に関するものである。
【背景技術】
【０００２】
従来から、湯水混合部における湯水の混合割合を調整して湯温調整を行うためのダイヤル式の湯温調整摘みと、吐水部からの吐水及び止水を行うための開閉弁を開閉操作するための押釦を備えた湯水混合水栓装置が特許文献１により知られている。
【０００３】
この特許文献１に示された従来例にあっては、湯水混合水栓装置の外郭を構成する断熱カバーの上面にダイヤル式の湯温調整摘みを上方に突出して設け、また、断熱カバーの一部に切欠部を設けて該切欠部に押釦を配置する構成となっている。
【０００４】
このように、従来にあっては、ダイヤル式という湯温調整の操作方式と、押し込み式という開閉弁の開閉の操作方式が異なり、また、操作方式に対応してダイヤル式の湯温調整摘と押し込み式の押釦とではその形状も大きく異なるため、湯温調整操作と、開閉弁の開閉操作との誤操作がし難いような構成となっている。
【０００５】
しかしながら、上記の特許文献１に示された従来例にあっては、操作方式に対応してダイヤル式の湯温調整摘と押し込み式の押釦とではその形状も大きく異なるため、操作部の統一感に欠け、外観が悪く、特に、ダイヤル式の湯温調整摘みが断熱カバーの上面から上方に向けて突出するため、より操作部の統一感が無くて外観が悪くなる。
【０００６】
また、上記従来例にあっては、押釦は止水位置において押釦の上面部を押す操作をすることで、押釦の高さが上記止水位置よりも若干高くなって吐水位置となり、この吐水位置にある押釦の上面部を押し操作することで、押釦の高さが上記吐水位置よりも若干低くなって止水位置に戻るようになっている。
【０００７】
つまり、止水から吐水への操作、吐水から止水への操作のいずれの操作も、押釦の上面部を押す操作をすることによりおこなっている。
【０００８】
ところで、シャンプーなどで髪を洗っている時や、洗顔している時のように、押釦を目でみることなく手探りで探し、押釦を操作して吐水や止水を行う場合がある。このような場合、使用者は、手探りで目的とする押釦を探し、手探りで探した押釦の上面部を押すことで、目的の吐水部から吐水したり、止水したりするものである。
【０００９】
ところが、上記のように、吐水操作も、止水操作も押釦を上方から押すという同じ操作であるため、手探りで押釦を操作する際に、誤って操作する恐れがある。
【００１０】
特に、上記従来例にあっては、吐水部としてカラン吐水部、シャワー吐水部という２つの吐水部を備え、押釦としてカラン吐水用の押釦と、シャワー吐水用の押釦の２つの押釦を備えているが、例えば、シャワー吐水部が止水で且つカラン吐水部が吐水の状態で、石鹸などで洗顔している時、カラン吐水部の吐水を止めようとする際、手探りで、押釦を探して、手に触れた押釦の上面部を押し操作して吐水状態のカラン吐水部を止水状態に切り換えるのであるが、この場合、間違って、シャワー吐水用の押釦の上面部を押し操作して止水中のシャワー吐水部からいきなり湯水が吐水されてしまうことがある。
【００１１】
また、シャワー吐水部が吐水で且つカラン吐水部が止水の状態で、シャンプーなどで髪を洗っている時、シャワー吐水部の吐水を止めようとする際、手探りで、押釦を探して、手に触れた押釦の上面部を押し操作して吐水状態のシャワー吐水部を止水状態に切り換えるのであるが、この場合、間違って、カラン吐水用の押釦の上面部を押し操作して止水中のカラン吐水部からいきなり湯水が吐水されてしまうことがある。
【００１２】
また、２つの吐水部のうち、いずれか一方が吐水、いずれか他方が止水状態において、２つの吐水部の両方とも吐水するように操作するには、止水状態と吐水状態とで僅かに高さが異なる２つの押釦の高さの差を手で確認しながら、僅かに低い方の押釦を押す操作をすることで、両吐水部から共に吐水でき、また、２つの吐水部のうち、いずれか一方から吐水、いずれか他方が止水状態において、２つの吐水部の両方とも止水するように操作するには、止水状態と吐水状態とで僅かに高さが異なる２つの押釦の高さの差を手で確認しながら、僅かに高い方の押釦を押す操作をすることで、両吐水部を共に止水にできるのであるが、この２つの押釦における止水と吐水とのわずかな高さの差を手探りで探して確認するのは、きわめて難しく、誤操作してしまうおそれがある。
【００１３】
このように、目で確認できない状況下で手探りで、複数の押釦の中から目的とする押釦の操作を行わなければならない場合、上記従来例においては誤操作をする恐れがあり、特に、水栓装置を目で確認していない状況下で、予期していない別の吐水部から急に吐水が行われると、洗顔中の人にいきなりシャワー水がかかったり、あるいは洗髪中の人の足元にいきなり湯水が吐水されたり、あるいは、止水したくないのに突然止水したりするといった事態が生じ、目で見ていないだけに不安感があり、快適な使用ができないという問題がある。
【００１４】
また、例えば、２つの吐水部のうち、いずれか一方から湯水を吐水したまま放置して止水するのを忘れていたような時、一方の吐水部から湯水が吐水しているのに気付き、あわてて止水しようとする場合、あわてているので、２つの押釦のうち、誤って別の吐水部の押釦を押し操作してしまって、別の吐水部から湯水がいきなり吐水してしまう場合がある。
【００１５】
この場合は、２つの押釦が一応、目に見えているが、あわてているため、誤って別の押釦を押し操作してしまうのである。
【００１６】
また、上記の従来の湯水混合水栓装置は、２つの吐水部からの吐水及び吐水停止をそれぞれ独立して行うための２つの開閉弁と、該２つの開閉弁をそれぞれ独立して開閉操作するための２つの押釦を設けたものであり、各吐水部から吐水される湯水の流量の調整をするために更に上記２つの押釦、２つの開閉弁とは別に２つの流量調整弁を設けてある。このように、上記従来例においては、２つの押釦は、いずれも各押釦操作で対応する吐水部の吐水、止水を行うのみで、このとき各押釦の操作で同時に対応する吐水部から吐水される湯水の流量調整を行うことができず、各押釦の操作とは別に、各流量調整弁を操作して流量調整を行わなければならず、操作性が悪いと共に、別に２つの流量調整弁を設ける必要があり、部材が増えて構造が複雑になり、大型化し、コストが高くなるという問題がある。
【００１７】
また、特許文献２に示されるシングルレバー式の湯水混合水栓装置も従来から知られている。
【００１８】
この特許文献１に示されるようなシングルレバー式の湯水混合水栓装置は、鉛直方向軸線を中心にレバーを横方向に回動することで、湯及び水の混合比を変化させて湯温調整を行い、また、レバーを水平方向軸線を中心に上下に回動することで湯水の吐水流量を変化させると共に、レバーを水平方向軸線を中心に上限まで回動した状態又は下限まで回動した状態のいずれかが全開で他方が止水となるように構成してある。
【００１９】
ところが、上記特許文献２に示された従来例にあっては、一つのレバーで湯温調整の操作と湯量調整及び吐水、水の操作ができるようになっているので、吐水、止水や湯量の調整をするためレバーを上下方向に回動操作している時に、同時にレバーが不用意に横方向にも回動して湯温が変わってしまうことがある。
【００２０】
また、湯水が設定された流量で吐水されている時に湯温調整をするためにレバーを横方向に回動操作する際、同時にレバーが不用意に上下方向にも回動し、吐水流量が変化してしまうことがある。
【００２１】
この結果、従来のシングルレバー式の湯水混合水栓装置においては、既に設定してある湯温を保持したまま、レバーを操作して吐水、止水や湯量の調整操作を行おうとしている場合に、急に予想していない高温の湯水が吐水されたり、あるいは急に低温の湯水が吐水されたりするという問題があり、また、既に設定してある吐水量を保持したまま、レバーを操作して湯温のみの調整を行おうとしている場合、流量が急に多くなったり、あるいは、流量が急に少なくなったりするという問題がある。
【００２２】
この問題は、特に、シャンプーなどで髪を洗っている時や、洗顔している時のように、レバーを目でみることなく手探りで探し、レバーを操作して吐水、水や湯量の調整操作のみを行おうとしている場合、あるいは、レバーを操作して湯温のみの調整を行おうとしている場合に顕著で、レバーを目で見て操作していないだけに、誤操作しやすい。
【００２３】
また、上記従来例にあっては、一つのレバーで湯温調整と、湯水の開閉及び流量調整を行うようにしているので、湯水混合水栓装置の機構が複雑となり、コストが高くなる。
【００２４】
また、上記複数の吐水口を有する湯水混合水栓装置における各吐水口からの吐水の操作を行うための操作部として上記従来例のレバー機構のものを適用しようとすると、レバーが横方向に回動するため、レバーを横方向に並べようとすると、横方向に回動する隣合うレバー同士が互いに干渉して衝突しないようにするには、横方向に隣接するレバー間の間隔を大きく取らねばならず、湯水混合水栓装置全体が大きくなり、また、レバー同士が離れすぎるため、実用的ではない。
【特許文献１】特開２００４−９２０６９号公報
【特許文献２】特開２００７−１２０１１９号公報
【発明の開示】
【発明が解決しようとする課題】
【００２５】
本発明は上記の従来の問題点に鑑みて発明したものであって、湯温調整操作と、弁手段の開閉と弁手段による開量の調整操作とをほぼ同じ操作方式にして操作性を良くすると共に、ほぼ同じ操作方式の湯温調整用レバーハンドルと開閉用レバーハンドルを並べて配置することで統一感を持たせて外観を良くし、しかも、操作方式をほぼ同じ操作方式とし且つ並べて統一感を持たせたにもかかわらず、止水、吐水、開量の調整操作と、湯温調整操作とを間違えない湯水混合水栓装置を提供することを課題とするものである。
【課題を解決するための手段】
【００２６】
上記課題を解決するために本発明に係る湯水混合水栓装置は、水と湯を混合する湯水混合部１と、該湯水混合部１における湯水の混合割合を調整して湯温調整を行うための湯温調整用レバーハンドル１８と、湯水混合部１で混合された湯水を吐水部２から吐水、停水を行うための弁手段７と、該弁手段７の開閉と弁手段７による開量の調整とを行うための開閉用レバーハンドル３とを備えた湯水混合水栓装置６であって、上記開閉用レバーハンドル３に設けた操作部４の押し下げ、押し上げによる上下方向の移動により弁手段７の開閉と開量の調整を行うように構成し、湯温調整用レバーハンドル１８に設けた湯温調整用の操作部１９の押し上げ、押し下げによる上下方向の移動により湯水混合部１における湯水の混合割合を調整して湯温調整を行うように構成し、上記開閉用レバーハンドル３の操作部４と上記湯温調整用レバーハンドル１８の湯温調整用の操作部１９を仕切り部３３を介して並設し、開閉用レバーハンドル３の操作部４と、湯温調整用レバーハンドル１８の操作部１９との間に位置する仕切り部３３の部位が、開閉用レバーハンドル３の操作部４乃至湯温調整用レバーハンドル１８の操作部１９と外観形状が同じ又はほぼ同じ外観形状をした操作することができないダミー操作部３３ａとなっていることを特徴とするものである。
【００２７】
このように、開閉用レバーハンドル３による吐水部２から吐水、停水、吐水量の調整操作と、別体の湯温調整用レバーハンドル１８による湯温調整操作がいずれも、開閉用レバーハンドル３の操作部４の押し下げ、押し上げによる上下方向の移動、湯温調整用レバーハンドル１８の操作部１９による押し下げ、押し上げによる上下方向の移動により行えて、吐水、停水、吐水量の調整操作と、湯温調整操作とが押し下げ、押し上げ操作というほぼ同じ操作方式で行えることで、吐水、停水、吐水量の調整操作、湯温調整操作の操作性がよくなり、しかも、このほぼ同じ操作方式の操作部４、１９を並設してあるので、統一感があって外観がよくなる。また、押し下げ、押し上げ操作というほぼ同じ操作方式により吐水、停水、吐水量の調整操作を行う操作部４、湯温調整操作を行う操作部１９を並設して一箇所に集めたと言えども、開閉用レバーハンドル３の操作部４と湯温調整用レバーハンドル１８の湯温調整用の操作部１９を仕切り部３３を介して並設してあるので、吐水、停水、吐水量の調整操作を行うために操作部４を押し上げ、押し下げ操作する際、湯温調整用レバーハンドル１８の湯温調整用の操作部１９を誤って押し上げ操作したり、押し下げ操作したりすることがなく、例えば、吐水部２から所定の湯温の湯水を吐水している際に、吐水を停止しようと操作部４を押し下げ又は押し上げ操作する際、仕切り部３３で仕切ってあるため、誤って湯温調整用の操作部１９を押し下げ又は押し上げて湯温が急に熱くなったり、冷たくなったりするという事態が生じにくい。
【００２８】
また、開閉用レバーハンドル５は開閉用レバーハンドル３に設けた操作部４の押し下げ、押し上げによる上下方向の移動により弁手段７の開閉と開量の調整を行うので、開操作も閉操作も押し操作で行う従来例に比べて開閉操作を誤操作なく行え、手探りによる操作であっても、操作部４の押し下げ方向、押し上げ下げ方向のどちらが開でどちらが閉であるかということさえ間違わなければ、誤操作なく正しく操作することができる。
【００２９】
また、開閉用レバーハンドル３による押し下げ、押し上げ操作で吐水部２からの吐水、停水、吐水量調整が行えると共にこの吐水、停水、吐水量調整の際に誤って湯温が変化せず、この結果、簡単な構成、簡単な操作で吐水、停水、吐水量調整を確実に行うことができる。
【００３１】
更に、仕切り部３３の部分もあたかも開閉用レバーハンドル３の操作部４乃至湯温調整用レバーハンドル１８の操作部１９であるかのような外観となって、操作部４、１９と仕切り部３３が統一された外観となる。
【００３２】
また、開閉用レバーハンドル３の操作部は押し上げ・押し下げ操作のみが可能なように上下方向にのみ可動自在となり、開閉用レバーハンドル３は操作部を上に上げた状態又は下に下げた状態の一方が対応する弁手段７の開で他方が閉となり、開閉用レバーハンドル３の操作部４が閉位置の状態で、開閉用レバーハンドル３の操作部４の上面とダミー操作部３３ａの上面とが面一又は略面一となることが好ましい。
【００３３】
このように、開閉用レバーハンドル３の操作部４は押し上げ、押し下げ操作のみが可能なように上下方向にのみ可動自在となっていて、操作部４が閉位置の状態で、操作部４の上面とダミー操作部３３ａの上面とが面一又は略面一となっているので、開閉用レバーハンドル３の操作部４が閉位置であるか否かが一目で分かり、また、シャンプーなどで髪を洗っているときや、洗顔している時、手探りで開閉用レバーハンドル３の操作部４を手で触れた際に、隣りのダミー操作部３３ａの上面と面一となっているか否かが直ぐに手の感触で分かり、手探りの場合も開閉用レバーハンドル３の操作部４が閉位置であるか否かが直ぐに分かる。
【００３４】
また、湯温調整用レバーハンドル１８の操作部１９の上下方向の移動により湯水混合部１における湯水の混合割合を調整して湯温調整を行うように構成し、湯温調整用レバーハンドル１８の操作部１９が湯温略４０℃となる位置に位置している状態で、湯温調整用レバーハンドル１８の操作部１９の上面とダミー操作部３３ａの上面とが面一又は略面一となることが好ましい。
【００３５】
このような構成とすることで、湯温調整用レバーハンドル１８の操作部１９が湯温調整用レバーハンドル１８の操作部１９の上面とダミー操作部３３ａの上面とが面一又は略面一となっているか、否かを見るだけで、一目で通常の使用における最も平均的な使用湯温である湯温略４０℃であるか、否かが理解できる。また、手探りであっても、湯温調整用レバーハンドル１８の操作部１９に触れて、該操作部１９がダミー操作部３３ａと面一となるようにするだけで、湯温略４０℃に設定できる。
【００３６】
また、弁手段７が複数の吐水部２からの吐水及び吐水停止をそれぞれ独立して行うために複数設けられると共に、開閉用レバーハンドル３が上記複数の弁手段７をそれぞれ独立して開閉操作するために複数並設して設けられ、複数の開閉用レバーハンドル３に設けた各操作部４がそれぞれ閉位置の状態で、面一又は略面一となっていることが好ましい。
【００３７】
このように、複数の操作部４が並設してあるので、複数の操作部４に指を当てて複数の操作部４を同時に押し下げ方向又は押し上げ方向に押し下げることで、同時に開閉操作することができ、また、各操作部４がそれぞれ閉位置の状態で、面一又は略面一となっているので、複数の操作部４を見ることで複数の弁手段７がそれぞれ閉であるか否かが一目でわかる。
【００３８】
また、複数の開閉用レバーハンドル３の各操作部４に微小な凸又は凹の立体表示８を設け、各操作部４毎に立体表示８を異ならせることが好ましい。
【００３９】
このような構成とすることで、複数の開閉用レバーハンドル３の各操作部４を並設したと言えども、立体表示８を指で触れることで、間違うことなく目的とする開閉用レバーハンドル３の操作部４を探し、押し下げ方向、押し上げ方向のどちらが閉、どちらが開であるかさえ間違わなければ、手探りであっても目的とする吐水部の吐水、停水、吐水量調整操作を間違いなく確実に行うことができる。
【００４０】
また、湯温調整用レバーハンドル１８の操作部１９に該湯温調整用レバーハンドル１８独自の微小な凸又は凹の立体表示３７を設けることが好ましい。
【００４１】
このような構成とすることで、手探りで操作する場合に湯温調整用レバーハンドル１８を誤りなく操作できる。
【００４２】
また、ダミー操作部３３ａの上面に該ダミー操作部３３ａと、開閉用レバーハンドル３や湯温調整用レバーハンドル１８と識別するためのダミー用立体表示部３８が設けてあることが好ましい。
【００４３】
このような構成とすることで、誤ってダミー操作部３３ａに押し下げ力や押し上げ力を加えて、誤操作をすることがない。
【００４４】
また、各操作部４に設けた微小な凸又は凹の立体表示の代わりに、各操作部４に各種いろいろな形状（丸穴や三角、四角穴等）の穴や切欠きを設けて設けてもよい。
【発明の効果】
【００４５】
本発明の請求項１記載の発明にあっては、上記のように、開閉用レバーハンドルに設けた押し下げ、押し上げ操作する操作部と、湯温調整用レバーハンドルに設けた押し上げ、押し下げによる湯温調整用の操作部とを仕切り部を介して並設してあるので、湯温調整用レバーハンドルと、開閉用レバーハンドルとをほぼ同じ操作方式にして操作性を良くすると共に、ほぼ同じ操作方式の湯温調整用レバーハンドルと開閉用レバーハンドルを並べて配置することで統一感を持たせて外観を良くし、しかも、操作方式をほぼ同じ操作方式とし且つ並べて統一感を持たせたにもかかわらず、両者の間に仕切り部を介在したので、止水、吐水、開量の調整操作と、湯温調整操作とを間違えるのを防止できる。また、開閉用操作部の操作で止水、吐水、開量の調整操作を行うので、別途吐水量を調整するための流量調整弁や専用の別途操作部を必要とせず、構成が簡略化できると共に、別体の湯温調整用レバーハンドルで設定した湯温を維持したまま開閉用操作部の押し下げ、押し上げ操作のみで、簡単且つ正確に止水、吐水、開量の調整操作ができる。また、開閉用操作部を手探りで操作する場合であっても、押し下げ方向、押し下げ方向のどちらが開でどちらが閉であるかということさえ間違えなければ、誤操作なく正しく操作することができる。
【００４６】
更に、一箇所にまとまって並設された開閉用レバーハンドルの操作部と湯温調整用レバーハンドルの操作部と、その間に介在された仕切り部を構成するダミー操作部とが統一された外観となり、一箇所にコンパクトにまとめても違和感がない。
【００４７】
また、請求項２記載の発明にあっては、上記請求項１記載の発明の効果に加えて、開閉用レバーハンドルの操作部が閉位置であるか否かが一目で分かり、また、手探りで開閉用レバーハンドルの操作部を手で触れた際であっても、隣りのダミー操作部の上面と面一となっているか否かが直ぐに手の感触で分かり、開閉用レバーハンドルの操作部が閉位置であるか否かが直ぐに分かり、誤操作をすることがない。
【００４８】
また、請求項３記載の発明にあっては、上記請求項２記載の発明の効果に加えて、湯温調整用レバーハンドルの操作部の上面がダミー操作部の上面と面一又は略面一であるかを見るだけで、通常の使用における最も平均的な使用湯温である湯温略４０℃であるか、否かが分かり、また、手探りであっても、湯温調整用レバーハンドルの操作部を触れた場合、該操作部がダミー操作部と面一となるようにするだけで、簡単に湯温略４０℃に設定できる。
【００４９】
また、請求項４記載の発明にあっては、上記請求項１乃至請求項３のいずれか一項に記載の発明の効果に加えて、複数の操作部に指を当てて複数の操作部を同時に押し下げ方向又は押し上げ方向に押し下げることにより、同時に開閉操作することができる。また、複数の操作部を見ることで複数の弁手段がそれぞれ閉であるか否かが一目でわかる。
【００５０】
また、請求項５記載の発明にあっては、上記請求項４記載の発明の効果に加えて、並設した複数の操作部のなかから目的とする操作部を探しだすことができ、押し下げ方向、押し上げ方向のどちらが閉、どちらが開であるかさえ間違わなければ、手探りであっても目的とする吐水部の吐水、停水、吐水量調整操作を間違いなく確実に行うことができる。
【００５１】
また、請求項６記載の発明にあっては、上記請求項１乃至請求項５のいずれか一項に記載の発明の効果に加えて、開閉用レバーハンドルの操作部と湯温調整用レバーハンドルの操作部とを仕切り部を介して並設することで、異なる操作部を一箇所に集めたにもかかわらず、上記のような仕切り部による誤操作防止効果に加え、湯温調整用レバーハンドルの操作部に設けた立体表示の存在により、一層確実に湯温調整用レバーハンドルの操作部を開閉用レバーハンドルの操作部と区別して確認することができ、湯温調整を確実に行え、また、手探りで操作する場合においても、湯温調整用レバーハンドルを誤りなく操作できる。
【００５２】
また、請求項７記載の発明にあっては、上記請求項１乃至請求項６のいずれか一項に記載の発明の効果に加えて、誤ってダミー操作部に押し下げ力や押し上げ力を加えて、誤操作をすることがない。
【発明を実施するための最良の形態】
【００５３】
以下、本発明を添付図面に示す実施形態に基いて説明する。
【００５４】
図１乃至図５には本発明の湯水混合水栓装置６の一実施形態が示してある。湯水混合水栓装置６は、基体１０に、湯水混合部１と、弁機構部９と、カバー部１１を取付けて主体が構成してある。
【００５５】
湯水混合部１は、外郭を構成する筒部１３の外周部の軸方向に水流入部１４と湯流入部１５を並設して設けると共に湯水流出部１６を設け、更に、筒部１３内に水流入部１４から流入する水と、湯流入部１５から流入する湯の混合割合を変えて湯水混合を行うための筒部１３内に軸方向に移動自在に内装した湯水混合調整手段１７と、筒部１３の開口側端部に回動自在に取付けた湯温調整操作部５を構成する湯温調整用レバーハンドル１８とを備えることで一つのユニットとして構成してあり、湯温調整用レバーハンドル１８を回動することで、湯水混合調整手段１７を移動して、水と湯の混合割合を変えて設定された湯温となるよう調整できるようになっている。
【００５６】
湯温調整用レバーハンドル１８は湯水混合調整手段１７に連結する連結部１８ａと該連結部１８ａの前部から前方に突出する略平板状をした湯温調整用の操作部１９を突設することで構成してあり、該湯温調整用の操作部１９は、筒部１３の前部よりも前方に突出し且つ連結部１８ａの横方向（軸方向）の全長にわたって設けてある。この湯温調整用の操作部１９は上面部が湯水混合用の押し下げ用の操作部１９ａ、下側が湯水混合用の押し上げ用の操作部１９ｂとなっている。
【００５７】
弁機構部９は、外郭を構成する筒体部２０の軸方向の中間部に設けた流入孔部２１と、筒体部２０の軸方向における一方の片側半部及び他方の片側半部にそれぞれ設けた２つの流出孔２２（２２ａ、２２ｂ）と、筒体部２０内の軸方向の一方の片側半部及び他方の片側半部にそれぞれ独立して回動自在に嵌め込んだ２つの弁手段７を構成する回動弁２３（２３ａ、２３ｂ）と、両回動弁２３の端部に連結されて各回動弁２３を回動操作するための２つの開閉用レバーハンドル３とを備えることで一つのユニットとして構成してある。
【００５８】
各回動弁２３はそれぞれ軸方向の一端部が開口部２４となり且つ他端部が閉塞された回動筒２５の外周部に孔２６を設けて構成してあり、筒体部２０内の軸方向の中間部を介して両回動弁２３の開口部２４が互いに向き合うように筒体部２０内にはめ込んであり、両開口部２４は筒体部２０内の軸方向の中間部を介して流入孔部２１と連通しており、また、各回動弁２３をそれぞれ独立して回動することで、２つの流出孔２２（２２ａ、２２ｂ）と各孔２６とを連通したり、非連通とすることで、各回動弁２３の開閉及び連通の度合い（つまり開量）の調整を行って流量調整を行うことができるようになっている。２つの流出孔２２には後述のようにそれぞれ吐水部２が連通接続される。
【００５９】
筒体部２０内にそれぞれ回動自在に嵌め込んだ各回動弁２３の開口部２４と反対側の軸方向の端部には各開閉用レバーハンドル３の後端部の取付け部２７がそれぞれ筒体部２０の軸方向の両側端面に沿うように取付けてあり、この筒体部２０の両側端面に沿うように両回動弁２３の端部に取付けた２個の開閉用レバーハンドル３の前部が筒体部２０の前面よりも前方に突出形成してあって操作部４となっている。
【００６０】
図２に示す実施形態では、取付け部２７の前端部から筒体部２０の前面よりも前方に突出するように形成した操作部４は、取付け部２７の前端部の軸方向の外側端部から筒体部２０の軸方向の中間部分まで至る横長さとなっており、両側の開閉用レバーハンドル３の前部に設けた両操作部４の後端部により筒体部２０の前面が覆われるようになっている。各操作部４は同じ断面形状をしており、各操作部４の後端部を除く大部分が略平板状をしていて、上面部が押し下げ用の操作部４ａ、下面部が押し上げ用の操作部４ｂとなっており、この操作部４の後端部が筒体部２０の外周部前面に沿って筒体部２０の前面の軸方向の片側半部を覆うための断面弧状をした覆い部２８となっている。
【００６１】
各操作部４は上方への押し上げ・下方への押し下げ操作のみが可能なように上下方向にのみ可動自在となり、各開閉用レバーハンドル３はそれぞれ操作部４を上に上げた状態又は下に下げた状態の一方が対応する弁手段７である回動弁２３を開（つまり一方の回動弁２３の孔２６と一方の流出孔２２ａとが連通する状態、又は、他方の回動弁２３の孔２６と他方の流出孔２２ｂとが連通する状態）となり、他方が閉（つまり一方の回動弁２３の孔２６と一方の流出孔２２ａとが非連通となる状態、又は、他方の回動弁２３の孔２６と他方の流出孔２２ｂとが非連通となる状態）となっている。
【００６２】
同じ断面形状をした各操作部４の全開位置Ａの姿勢がそれぞれ同じであり、また、各操作部４の閉位置Ｂの姿勢がそれぞれ同じであるので、前方に突出した複数の操作部４がいずれも閉状態及び全開状態においては、複数の操作部４が上面側及び下面側のいずれにおいても、段差無く前方に突出している姿勢となり全ての吐水部が止水となっている状態、すべての吐水部が全開している状態がどの方向からみても明確に確認できる。
【００６３】
また、前方に突出した略平板状をした複数の操作部４は並設してあって、閉状態で面一となっているので、閉状態で面一担っている状態で、各操作部４の上面の各押し下げ用の操作部４ａ、下面の各押し上げ用の操作部４ｂを掃除することができ、掃除がきわめてし易くなる。
【００６４】
また、各操作部４の上記開位置Ａと閉位置Ｂとの間が該当する吐水部２から吐水する湯水の流量を調整する水量調整域Ｃとなっている。
【００６５】
各操作部４は、湯温調整用レバーハンドル１８の湯温調整用の操作部１９とその断面形状が同じ又はほぼ同じ形状をしている。
【００６６】
上記のようにユニット化された湯水混合部１と、ユニット化された弁機構部９とをそれぞれ基体１０にねじ具２９により固着することで取付けてある。
【００６７】
ここで、図２に示すように、ユニット化された湯水混合部１の筒部１３の中心軸と、ユニット化された弁機構部９の筒体部２０の中心軸とが同軸となり且つユニット化された湯水混合部１とユニット化された弁機構部９とが同軸上に隣接するように基体１０に取付けられる。
【００６８】
この場合、ユニット化された弁機構部９の筒体部２０の一側面に一方の開閉用レバーハンドル３を介して湯水混合部１の筒部１３の湯温調整用レバーハンドル１８を設けていない方の側端面を隣接配置されるものである。
【００６９】
また、湯水流出部１６と流入孔部２１とが接続管３４で連通接続される。
【００７０】
更に、水流入部１４に給水用接続管１４ａを接続すると共に湯流入部１５に給湯用接続管１５ａを接続し、更にまた、２つの流出孔２２（２２ａ、２２ｂ）にそれぞれ流出管４５ａ、４５ｂを接続する。流出管４５ａ、４５ｂのうち一方、図３、図４においては流出管４５ａは先端部がそのまま吐水部２（カラン吐水部２ａ）となっていて、一方の流出孔２２ａの真下に配設してあって、下方に吐水するようになっている。
【００７１】
基体１０には更にカバー部１１が取付けられ、カバー部１１により弁機構部９の筒体部２０、両開閉用レバーハンドル３の後端部の取付け部２７、湯水混合部１の筒部１３の筒部１３を覆うようになっている。
【００７２】
カバー部１１には前面部に前面開口部３１が設けてあり、この前面開口部３１から両開閉用レバーハンドル３の前部に設けた各操作部４が前方に向けて突出し、前方に向けて突出した各操作部４は上方に押し上げ操作したり、下方に押し下げ操作したりすることができるように上下方向に移動自在となっており、各操作部４を上方向に押し上げたり、下方向に押し下げたりすることで、各開閉用レバーハンドル３を筒体部２０の軸芯を中心にして回動自在となっている。操作部４を押し上げたり、押し下げたりすることによる開閉用レバーハンドル３の回動角度は特に限定はないが、一例を挙げると４５°の回動範囲とする。
【００７３】
各開閉用レバーハンドル３の操作部４の後端に設けた覆い部２８によりカバー部１１の前面開口部３１を遮蔽するようになっており、これにより、開閉用レバーハンドル３を回動しても筒体部２０の前面が外部に露出することなく覆い部２８により覆われるようになっている。
【００７４】
したがって、筒体部２０、操作部４の取付け部２７はカバー部１１及び覆い部２８に覆われて、この部分が施工状態において外部に露出しないようになっている。この結果、覆い部２８が筒体部２０の一部（前部）を覆う断熱カバーの役目を兼用し、カバー部１１による断熱のために覆う面積を少なくしてカバー部１１の材料を少なくできる。
【００７５】
また、カバー部１１は湯水混合部１の筒部１３を覆って筒部１３が施工状態において外部に露出しないようになっており、更に、このカバー部１１の湯水混合部１を覆っている部分の前面部から前方に向けて一体にダミー操作部１９が突設してある。
【００７６】
この仕切り部３３は添付図面に示す実施形態では略平板状をしたダミー操作部３３ａとなっている。
【００７７】
ここで、ダミー操作部３３ａの断面形状は、前述の操作部４、湯温調整用の操作部１９とその断面形状が同じ又はほぼ同じ形状をしているがカバー部１１から一体に突出しているため押し下げ力、押し上げ力が作用してもカバー部１１に対して動くことはない。
【００７８】
また、ダミー操作部３３ａの横方向の長さは筒部１３の軸方向の長さと同じ又はほぼ同じ長さとなっており、該ダミー操作部３３ａが、前述の湯温調整用レバーハンドル１８の湯温調整用の操作部１９と、２つの隣接する開閉用レバーハンドル３の各操作部４のうち一方の操作部４ａとの間に介在してある。このように開閉用レバーハンドル３の操作部４と、湯温調整用レバーハンドル１８の湯温調整用の操作部１９との間にダミー操作部３３ａを介在させることで、操作部４の操作の際に誤って湯温調整用の操作部１９を操作したり、あるいは、湯温調整用の操作部１９を操作する際に誤って操作部４を操作することがないように、ダミー操作部３３ａが両者の仕切りの役目をする。つまり、本実施形態ではダミー操作部３３ａが仕切り部３３となっている。
【００７９】
本実施形態では両開閉用レバーハンドル３の操作部４は略平板状をしていて、各操作部４が閉位置Ｂとなった状態で互いに上面が面一となり、更に、この操作部４が閉位置Ｂの状態で上面が略平板状をしたダミー操作部３３ａの上面と面一となるように設定してある。なお、図１乃至図５に示す実施形態では各操作部４を下方に最大に押し下げた位置（最下端位置、図３、４で実線で示す位置）が閉位置Ｂで、各操作部４を最大に押し上げた位置（最上端位置、図３、４で二点鎖線で示す位置）が全開位置Ａとなっている。
【００８０】
また、湯温調整用レバーハンドル１８の湯温調整用の操作部１９は、湯温調整用の操作部１９の上面が上記略平板状をしたダミー操作部３３ａの上面と面一となった位置がちょうど湯温略４０℃となるように設定してある。したがって、湯温調整用レバーハンドル１８の湯温調整用の操作部１９が湯温調整用レバーハンドル１８の略平板状をした湯温調整用の操作部１９の上面と略平板状をしたダミー操作部３３ａの上面とが面一又は略面一となっているか、否かを見るだけで、一目で通常の使用における最も平均的な使用湯温である湯温略４０℃であるか、否かが理解できる。また、この、湯温調整用レバーハンドル１８の湯温調整用の操作部１９がダミー操作部３３ａと面一となるようにするだけで、簡単に湯温を略４０℃に設定することができるようになっている。
【００８１】
そして、略平板状をした湯温調整用の操作部１９が略平板状をしたダミー操作部３３ａと面一となっている状態から上面部の湯水混合用の押し下げ用の操作部１９ａを押し下げ操作したり、あるいは下面部の湯水混合用の押し上げ用の操作部１９ｂを押し上げ操作することで、湯温調整用レバーハンドル１８を湯水混合部１の筒部１３の中心軸を中心にして回動して、略４０℃より湯温を高くなるように調整したり、略４０℃より湯温を低くなるように調整することができる。
【００８２】
上記のような構成の湯水混合水栓装置６は、給水用接続管１４ａに水道管を接続し、給湯用接続管１５ａに給湯管を接続する。
【００８３】
また、図１乃至図５に示す実施形態では、湯水混合水栓装置６を浴室や洗面化粧台などに設定する例を示しており、他方の流出管４５ｂにはシャワーホース３５の一端が接続され、該シャワーホース３５の他端のシャワーヘッド３６が他方の吐水部２（シャワー吐水部２ｂ）となっている。
【００８４】
上記のように施工された湯水混合水栓装置６の使用に当たって、カラン吐水部２ａの吐水、止水をする場合は、一方の開閉用レバーハンドル３の操作部４を押し上げ操作、押し下げ操作することにより行い、また、シャワー吐水部２ｂの吐水、止水をする場合は、他方の開閉用レバーハンドル３の操作部４を押し上げ操作、押し下げ操作することにより行う。そして、これらの各開閉用レバーハンドル３の操作部４の押し上げ操作、押し下げ操作はそれぞれ独立して行うことができ、また、両操作部４を同時に押し上げ操作したり、あるいは押し下げ操作することができる。したがって、カラン吐水部２ａ、シャワー吐水部２ｂの両方が止水状態において、カラン吐水部２ａ、シャワー吐水部２ｂのいずれか一方からのみ吐水、あるいは、カラン吐水部２ａ、シャワー吐水部２ｂの両方を同時に吐水という操作が簡単にできる。また、カラン吐水部２ａ、シャワー吐水部２ｂの両方が吐水状態において、カラン吐水部２ａ、シャワー吐水部２ｂのいずれか一方のみの止水、あるいは、カラン吐水部２ａ、シャワー吐水部２ｂの両方を同時に止水という操作が簡単にできる。
【００８５】
ところで、例えば、シャワー吐水部２ｂが止水で且つカラン吐水部２ａが吐水の状態で、石鹸などで洗顔している時、カラン吐水部２ａを止水にしようとして、手探りで、カラン吐水部２ａ用の操作部４（カラン用の操作部）を探して止水操作をする際や、シャワー吐水部２ｂが吐水で且つカラン吐水部２ａが止水の状態で、シャンプーなどで洗髪している時、シャワー吐水部２ｂを止水にしようとして、手探りで、シャワー吐水部２ｂ用のシャワー用の操作部４を止水側に操作する際、上記のように操作部４に立体表示８に手指を触れることで目的とする操作部４を探すことで、目的とする操作部４を探すことができるようになっているが、立体表示８による区別を忘れていたり、あるいは、勘違いにより誤って目的でない操作部４を止水側に操作したとしても（前者においては誤ってシャワー用の操作部４を止水側に操作したとしても、後者においては誤ってカラン用の操作部４を止水側に操作したとしても）、目的としない吐水部２（前者においてはシャワー吐水部２ｂ、後者においてはカラン吐水部２ａ）が止水となっているので、目的としない吐水部２（前者においてはシャワー吐水部２ｂ、後者においてはカラン吐水部２ａ）から突然吐水されるというようなおそれがない。
【００８６】
したがって、複数の操作部４を手探りで探して操作する際に、上記のような誤操作をしても、操作部４の操作方向さえ間違っていなければ、手探りであっても予期していない吐水部２から突然吐水されるというような事態が生じることがなく、安心して洗顔や洗髪ができる。
【００８７】
また、例えば、２つの吐水部２のうち、いずれか一方から湯水を吐水したまま放置して止水するのを忘れていたような時、一方の吐水部２から湯水が吐水しているのに気付き、あわてて一方の吐水部２側の操作部４を止水側に操作しようとすることがあるが、この場合、あわてていて、誤って別の吐水部２の操作部４を止水側に操作しても、別の吐水部２から突然吐水されるというような事態が生じることがない。
【００８８】
上記のように、各開閉用レバーハンドル３の略平板状をした操作部４の押し上げ操作、押し下げ操作により対向する各吐水部２からの吐水、止水を行うのであるが、各操作部４の上下方向への移動量を調整することで対応する各吐水部２から吐水する湯水の流量を同時に調整することができる。
【００８９】
したがって、本発明においては、複数の吐水部２に対応して、別部材としての複数の流量調整弁とこれを操作するための複数の操作部とを必要とせず、湯水混合水栓装置６の小型化、部品点数の削減が可能となる。また、各操作部４の上下方向の移動のみで対応する吐水部２からの吐水、止水と流量調整とが同時にできるので、操作性が向上する。
【００９０】
しかも、上記複数の開閉用レバーハンドル３が湯温調整用レバーハンドル１８と別体なので、複数の開閉用レバーハンドル３をそれぞれ独立して操作する際、いずれの開閉用レバーハンドル３を操作する際も誤って湯温が変えられて高温の湯や低温の水が吐出する恐れがない。
【００９１】
図６には本発明の他の実施形態が示してあり、この実施形態では、各操作部４の上面には微小な凸又は凹の立体表示８が設けてあり、この立体表示８は各操作部４毎に異ならせてある。
【００９２】
本実施形態では、複数の操作部４の上面に設けた立体表示８を見ることで、視覚的に各操作部４の識別ができるのはもちろん、立体表示８を手指で触れることで、手で触れただけでも各操作部４の識別が確実にできるようになっている。
【００９３】
そして、実施形態においては、各操作部４がいずれも押し下げ操作と押し上げ操作が反対方向の操作であり、また、各操作部４に異なる微小な凸又は凹の立体表示８を設けてあるので、手探りであっても操作部４に手を添えて立体表示８により目的とする操作部４を探し、このようにして手探りで容易に探し当てた目的とする操作部４を押し上げ操作又は押し下げ操作をすることで、直接目で確認しなくても誤り無く操作ができる。
【００９４】
このように、各操作部はいずれも押し上げ操作と押し下げ操作とで開閉が決まっていると共に、各操作部４に異なる立体表示８が設けてあるので、シャンプーなどで髪を洗っているときや、洗顔している時のように、湯水混合水栓装置６を目で見ることなく、手探りで目的とする開閉用レバーハンドル３の操作部４を探して、操作する場合に、誤操作をより確実に防止することができる。
【００９５】
図６に示す実施形態では、湯温調整用レバーハンドル１８の湯温調整用の操作部１９の上面にも微小な凸又は凹の湯温調整用立体表示３７を設けてある。この湯温調整用立体表示３７は前述の複数の開閉用レバーハンドル３の各操作部４に設けた立体表示８とはいずれも異なっていて、手指で触れた際に上記した各表示部４の立体表示８と識別できるようになっている。したがって、湯温調整用レバーハンドル１８の湯温調整用の操作部１９を手探りで探す際に、複数の開閉用レバーハンドル３の各操作部４と正確に識別でき、湯温調整用の操作部１９を間違いなく探して湯温の調整ができる。
【００９６】
上記のように、複数の操作部４にそれぞれ異なる立体表示８を設けると共に、湯温調整用の操作部１９にこれらの立体表示８とは異なる湯温調整用立体表示３７が設けてあるので、操作部４と湯温調整用の操作部１９との間に介在されているダミー操作部３３ａの上面には専用の立体表示を設けなくても、手で触った際に、立体表示がないという手指の感触でダミー操作部３３ａであると確認できる。しかしながら、更により確実にダミー操作部３３ａを手指で触れた際に他の操作部と識別できるようにするために、ダミー操作部３３ａの上面にも微小な凸又は凹のダミー用立体表示３８を設けてもよい。これにより、手探りで目的とする操作部４や湯温調整用の操作部１９を探す際に、手探りでダミー操作部３３ａと明確に識別でき、誤ってダミー操作部３３ａに操作のために力を加えるというようなことがない。
【００９７】
また、図１乃至図５に示す実施形態、図６に示す実施形態では略平板状をした各操作部４を下方に最大に押し下げた位置（最下端位置）が閉位置Ｂで、各操作部４を最大に押し上げた位置（最上端位置）が全開位置Ａとしてあるので、誤って、各操作部４に個別にあるいは同時に物が当たったりして上方から押し下げ力が作用しても、操作部４は元々閉位置にいるか、又は開位置にいても下方に押し下げられて閉位置となるので、複数の吐水部２から不意に吐水がするという恐れがない。また、この実施形態においては、閉位置Ｂが水平又はほぼ水平となっていて水平又はほぼ水平姿勢のダミー操作部３３ａと面一又はほぼ面一となっており、この場合は、湯水混合水栓装置６の下方の空間を広く使え、特に、カラン吐水部２ａ側の吐水空間が広く且つ見やすくなり、操作部４を上方に押し上げてカラン吐水部２ａから吐水させ、このカラン吐水部２ａから吐水される湯水を使用する際に操作部４が邪魔にならず、カラン吐水部２ａの使用が便利となる。
【００９８】
もちろん、本発明の湯水混合水栓装置６において、図７に示す実施形態のように、各操作部４を下方に最大に押し下げた位置（最下端位置）が全開位置Ａで、各操作部４を最大に押し上げた位置（最上端位置）が閉位置Ｂとしてもよいものである。この場合は、例えば、閉位置Ｂがほぼ水平となっていてほぼ水平姿勢のダミー操作部３３ａと面一又はほぼ面一となっていると、湯水混合水栓装置６の上方の空間に操作部４が突出せず、この部分を操作部４に邪魔されず、別の用途に使用したり、広い空間として利用できる。
【００９９】
また、上記各実施形態では、２つの吐水部２からの吐水及び吐水停止をそれぞれ独立して行うための２つの弁手段７と、該２つの弁手段７をそれぞれ独立して開閉操作するための２つのレバーハンドル３とを備えた湯水混合水栓装置６の例で説明したが、図８乃至図１１のように、吐水部２が１つ、弁手段７が１つ、レバーハンドル３が１つであってもよい。この実施形態においては弁機構部９の構成が異なるのみで、他は基本的な構成は同じである。
【０１００】
つまり、本実施形態では筒体部２０の軸方向の端部に設けた流入孔部２１と、筒体部２０の軸方向の略中間部に設けた流出孔２２と、筒体部２０内に回動自在に嵌め込んだ１つの弁手段７を構成する回動弁２３と、該回動弁２３の端部に連結されて回動弁２３を回動操作するための１つのレバーハンドル３とを備えることで一つのユニットとして構成してある。
【０１０１】
回動弁２３は軸方向の一端部が開口部２４となり且つ他端部が閉塞された回動筒２５の外周部に孔２６を設けて構成してあり、この回動弁２３を筒体部２０内に嵌め込んであり、開口部２４は筒体部２０内の軸方向の一端部を介して流入孔部２１と連通しており、回動弁２３を回動することで、流出孔２２と各孔２６とを連通したり、非連通とすることで、回動弁２３の開閉及び連通の度合い（つまり開量）の調整を行って流量調整することができるようになっている。流出孔２２には先端が吐水部２となった流出管４５ａが連通接続される。
【０１０２】
筒体部２０内にそれぞれ回動自在に嵌め込んだ回動弁２３の開口部２４と反対側の軸方向の端部にはレバーハンドル３の後端部の取付け部２７がそれぞれ筒体部２０の軸方向の端面に沿うように取付けてあり、この筒体部２０の端面に沿うように回動弁２３の端部に取付けたレバーハンドル３の前部が筒体部２０の前面よりも前方に突出形成してあって操作部４となっている。
【０１０３】
取付け部２７の前端部から筒体部２０の前面よりも前方に突出するように形成した操作部４は、取付け部２７の前端部の軸方向の外側端部から筒体部２０の軸方向の他端部（取付け部２７が沿っていない方の端部）まで至る横長さとなっており、レバーハンドル３の前部に設けた操作部４の後端部により筒体部２０の前面が覆われるようになっている。操作部４は後端部を除く大部分が略平板状をしていて、上面部が押し下げ用の操作部４ａ、下面部が押し上げ用の操作部４ｂとなっており、この操作部４の後端部が筒体部２０の外周部前面に沿って筒体部２０の前面の軸方向の片側半部を覆うための断面弧状をした覆い部２８となっており、この覆い部２８によりカバー部２３の前面開口部３１を覆うようになっている。
【０１０４】
なお、他の構成及び作用は前述の実施形態と同様であるので、省略する。
【０１０５】
図１２乃至図１８には本発明の他の実施形態が示してある。本実施形態においては、カウンター本体４０の下面部に前述の湯水混合水栓装置６を配設して取付けた湯水混合水栓装置付きカウンター４１が示してある。本実施形態においては、湯水混合水栓装置６の大部分はカウンター本体４０の下面側に沿って配設されることでカウンター本体４０により隠されるようになっているが、湯水混合水栓装置６の複数の開閉用レバーハンドル３の各操作部４、ダミー操作部３３ａ、湯温調整用レバーハンドル１８の湯温調整用の操作部１９がカウンター本体４０の前端から前方に突出している。
【０１０６】
そして、複数の開閉用レバーハンドル３の各操作部４、ダミー操作部３３ａ、湯温調整用レバーハンドル１８の湯温調整用の操作部１９がいずれも略平板状をしており、更に、ダミー操作部３３ａが水平又は略水平となっていて、各操作部４が全て閉状態で水平又は略水平姿勢となると共に、湯温調整用レバーハンドル１８の湯温調整用の操作部１９が略４０℃の位置で略水平姿勢となるように設定してあるので、略平板状の各操作部４、略平板状のダミー操作部３３ａ、略平板状の湯温調整用の操作部１９が面一に連続した全体として一連の水平な板状物のような外観となり、図１２（ａ）のように、板状のカウンター本体４０の前端部の下端縁から前方に全体として一連の水平な板状物（操作部）が突出している外観となり、統一感があり、外観がよくなる。
【０１０７】
図１２乃至図１８、図１９、図２０、図２１はそれぞれ、前述の湯水混合水栓装置６を取付けた湯水混合水栓装置付きカウンター４１の各例が示してある。
【０１０８】
この湯水混合水栓装置付きカウンター４１は、図１２乃至図１８、図２０に示す実施形態においてはカウンター本体４０の下面部に前述の湯水混合水栓装置６を配設して取付けることで構成してあり、各操作部４は、下方に最大に押し下げた位置（最下端位置）が閉位置Ｂで、各操作部４を最大に押し上げた位置（最上端位置）が全開位置Ａとしてある。また、図１９、図２１に示す実施形態では、各操作部４を下方に最大に押し下げた位置（最下端位置）が全開位置Ａで、各操作部４を最大に押し上げた位置（最上端位置）が閉位置Ｂとしてある。
【０１０９】
また、上記した各実施形態では２つの吐水部２のうち一方をカラン吐水部２ａ、他方をシャワー吐水部２ｂとした例を示したが、両方ともカラン吐水部２ａであってもよい。
【０１１０】
また、上記各実施形態では、１つの吐水部２からの吐水、停水、吐水量調整を行うための１つの弁手段７と、該１つの弁手段７を開閉操作するための１つの開閉用レバーハンドル３とを備えた湯水混合水栓装置６の例、２つの吐水部２からの吐水、停水、吐水量調整をそれぞれ独立して行うための２つの弁手段７と、該２つの弁手段７をそれぞれ独立して開閉操作するための２つの開閉用レバーハンドル３とを備えた湯水混合水栓装置６の例で説明したが、吐水部２が３つ以上、弁手段７が３つ以上、開閉用レバーハンドル３が３つ以上であってもよい。
【図面の簡単な説明】
【０１１１】
【図１】本発明の一実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図２】同上の平面断面図である。
【図３】同上の縦断面図である。
【図４】同上の右側面図である。
【図５】同上の左側面図である。
【図６】本発明の他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図７】本発明の更に他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図８】同上の更に他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図である。
【図９】同上の平面断面図である。
【図１０】同上の縦断面図である。
【図１１】同上の右側面図である。
【図１２】本発明の湯水混合水栓装置を付設したカウンターの斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図１３】同上の平面断面図である。
【図１４】同上の縦断面図である。
【図１５】同上の右側面図である。
【図１６】同上の左側面図である。
【図１７】同上のカウンター本体に付設する湯水混合水栓装置を前方から見た斜視図である。
【図１８】同上のカウンター本体に付設する湯水混合水栓装置を背方から見た斜視図である。
【図１９】本発明の湯水混合水栓装置を付設したカウンターの他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図２０】本発明の湯水混合水栓装置を付設したカウンターの他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図２１】本発明の湯水混合水栓装置を付設したカウンターの他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【符号の説明】
【０１１２】
２  吐水部
３  開閉用レバーハンドル
４  操作部
６  湯水混合水栓装置
７  弁手段
８  立体表示
１８  湯温調整用レバーハンドル
１９  操作部
３３  仕切り部
３３ａ  ダミー操作部
３７  立体表示
３８  ダミー用立体表示部
【図１】
0005149586.tif 000002
【図２】
0005149586.tif 000003
【図３】
0005149586.tif 000004
【図４】
0005149586.tif 000005
【図５】
0005149586.tif 000006
【図６】
0005149586.tif 000007
【図７】
0005149586.tif 000008
【図８】
0005149586.tif 000009
【図９】
0005149586.tif 000010
【図１０】
0005149586.tif 000011
【図１１】
0005149586.tif 000012
【図１２】
0005149586.tif 000013
【図１３】
0005149586.tif 000014
【図１４】
0005149586.tif 000015
【図１５】
0005149586.tif 000016
【図１６】
0005149586.tif 000017
【図１７】
0005149586.tif 000018
【図１８】
0005149586.tif 000019
【図１９】
0005149586.tif 000020
【図２０】
0005149586.tif 000021
【図２１】
0005149586.tif 000022